(57)【特許請求の範囲】
【請求項１】
走査電極および維持電極とデータ電極とからなる放電セルを複数形成したプラズマディスプレイパネルと、前記走査電極を駆動するための走査電極駆動部と、前記維持電極を駆動するための維持電極駆動部と、前記データ電極を駆動するためのデータ電極駆動部とを備え、書込み期間、および維持期間を含む複数のサブフィールドにより１フィールド期間を構成し、かつ前記書込み期間では、前記走査電極に書込みバイアス電圧と走査パルス信号を印加するとともにデータ電極に選択的に書込みパルスを印加し、前記維持期間では維持パルスを前記走査電極および前記維持電極に印加するように構成したプラズマディスプレイ装置であって、
前記走査電極駆動部は、
前記書込み期間における走査電極への前記書込バイアス電圧を生成する書込バイアス電圧生成回路と、
前記書込バイアス電圧に重畳する前記走査パルス信号を生成し、それぞれの走査電極に供給する複数の走査パルス発生回路と、
前記書込バイアス電圧生成回路と前記走査パルス発生回路との間の電流を検出し、電流検出信号として出力する電流検出回路と、
前記電流検出回路からの前記電流検出信号により前記電流検出回路で検出された電流が前記書込み期間以外の期間において所定の電流値を超えたとき、異常を検出したとする異常検出信号を出力する異常検出回路とを備え、
前記異常検出回路が異常を検出したとき、画像表示動作を停止するように構成したことを特徴とするプラズマディスプレイ装置。
【請求項２】
前記異常検出回路は、前記電流検出回路で検出された電流が、前記維持期間において所定の電流値を超えたとき、異常を検出したとする前記異常検出信号を出力するように構成したことを特徴とする請求項１に記載のプラズマディスプレイ装置。
【請求項３】
前記電流検出回路は、前記書込バイアス電圧生成回路と前記走査パルス発生回路との間に設けた抵抗器であり、前記抵抗器の前記走査パルス発生回路側に生じた電圧を前記電流検出信号として出力するように構成したことを特徴とする請求項１または請求項２に記載のプラズマディスプレイ装置。
【請求項４】
前記異常検出回路は、
前記書込バイアス電圧生成回路と前記走査パルス発生回路との間に設けた抵抗器の走査パルス発生回路側に生じた電圧に応じて充電される充電用キャパシタと、
前記充電用キャパシタに並列に接続された放電用抵抗器と、
前記充電用キャパシタの充電側の電圧が所定の電圧値を超えたかどうかを判定する電圧判定回路とを有し、
前記電圧判定回路が所定の電圧値を超えたと判定したとき、異常を検出したとする前記異常検出信号を出力するように構成したことを特徴とする請求項３に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、「パネル」と呼ぶ）は、大画面、薄型、軽量であることを特徴とする視認性に優れた表示デバイスである。このパネルを用いたプラズマディスプレイ装置を安全に使用するために、例えば部品の破壊などの異常が万一発生した場合にその異常を検出しプラズマディスプレイ装置の電源を遮断するなど、様々な保護回路が提案されている。
【０００３】
特に、プラズマディスプレイ装置では、パネルの各電極に高電圧の駆動パルスを供給して表示動作を行うため高電圧電源が必要である。これとともに、このような高電圧に基づく異常からプラズマディスプレイ装置を確実に保護するために、高電圧電源の電源電圧の変動を監視し、電源電圧が正常でない場合にパネルへの駆動動作を適切に制御する必要がある。
【０００４】
このような高電圧電源に保護回路を備えたプラズマディスプレイ装置として、例えば特許文献１には、走査パルス発生回路に印加する高電源電圧の異常を検出してパネルの駆動回路の動作を停止させるプラズマディスプレイ装置が提案されている。
【特許文献１】特開２００４−３０９６０６号公報
【発明の開示】
【発明が解決しようとする課題】
【０００５】
このような保護回路を備えることにより、走査パルス発生回路に異常が発生した場合、プラズマディスプレイ装置の動作を停止させることは可能である。しかしながら、走査パルス発生回路の異常のモードによっては、走査パルス発生回路に用いられているＩＣや特定の電子部品に例えば電流が集中し、ＩＣのパッケージや電子部品が異常に発熱し、このような発熱によって部品破壊に至るなどの不都合が発生するおそれがあった。
【０００６】
本発明はこれらの課題に鑑みなされたものであり、万一、走査パルス発生回路において異常発熱などの異常が発生しても、このような異常な状態からＩＣや電子部品を不都合なく保護することができる保護機能を備えたプラズマディスプレイ装置を提供することを目的とする。
【課題を解決するための手段】
【０００７】
上述したような課題を解決するために、本発明のプラズマディスプレイ装置は、走査電極および維持電極とデータ電極とからなる放電セルを複数形成したプラズマディスプレイパネルと、走査電極を駆動するための走査電極駆動部と、維持電極を駆動するための維持電極駆動部と、データ電極を駆動するためのデータ電極駆動部とを備え、書込み期間、および維持期間を含む複数のサブフィールドにより１フィールド期間を構成し、かつ書込み期間では、走査電極に書込みバイアス電圧と走査パルス信号を印加するとともにデータ電極に選択的に書込みパルスを印加し、維持期間では維持パルスを走査電極および維持電極に印加する。さらに、本発明のプラズマディスプレイ装置の走査電極駆動部は、書込み期間における走査電極への書込バイアス電圧を生成する書込バイアス電圧生成回路と、書込バイアス電圧に重畳する走査パルス信号を生成し、それぞれの走査電極に供給する複数の走査パルス発生回路と、書込バイアス電圧生成回路と走査パルス発生回路との間の電流を検出し、電流検出信号として出力する電流検出回路と、電流検出回路からの電流検出信号により電流検出回路で検出された電流が書込み期間以外の期間において所定の電流値を超えたとき、異常を検出したとする異常検出信号を出力する異常検出回路とを備え、異常検出回路が異常を検出したとき、画像表示動作を停止する構成である。
【０００８】
また、本発明のプラズマディスプレイ装置の異常検出回路は、電流検出回路で検出された電流が、維持期間において所定の電流値を超えたとき、異常を検出したとする異常検出信号を出力する構成である。
【０００９】
また、本発明のプラズマディスプレイ装置の電流検出回路は、書込バイアス電圧生成回路と走査パルス発生回路との間に設けた抵抗器であり、この抵抗器の走査パルス発生回路側に生じた電圧を電流検出信号として出力する構成である。
【００１０】
また、本発明のプラズマディスプレイ装置の異常検出回路は、書込バイアス電圧生成回路と走査パルス発生回路との間に設けた抵抗器の走査パルス発生回路側に生じた電圧に応じて充電される充電用キャパシタと、充電用キャパシタに並列に接続された放電用抵抗器と、充電用キャパシタの充電側の電圧が所定の電圧値を超えたかどうかを判定する電圧判定回路とを有し、電圧判定回路が所定の電圧値を超えたと判定したとき、異常を検出したとする異常検出信号を出力する構成である。
【発明の効果】
【００１１】
本発明によれば、万一、走査パルス発生回路に異常が発生しても、走査パルス発生回路の動作を含めプラズマディスプレイ装置の画像表示動作を確実に停止できるため、このような異常状態からＩＣや電子部品を不都合なく保護することができる保護機能を備えたプラズマディスプレイ装置を提供することが可能となる。
【発明を実施するための最良の形態】
【００１２】
以下、本発明の実施の形態について図面を参照しながら詳細に説明する。
【００１３】
（実施の形態）
図１は、本発明の実施の形態のプラズマディスプレイ装置におけるパネルの分解斜視図である。パネル１０は、ガラス製の前面基板２１と背面基板３１とを対向配置して、その間に多数の放電セルを形成するように構成されている。前面基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には絶縁体層３３で覆われた複数のデータ電極３２が設けられ、絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、電極の交差するそれぞれの位置に放電セルが形成されている。放電セルには放電ガスとして、例えばネオンとキセノンの混合ガスが封入されている。なお、パネル１０の構造は上述したものに限られるわけではなく、例えば井桁状の隔壁のかわりにストライプ状の隔壁を備えたものであってもよい。
【００１４】
図２は本発明の実施の形態のプラズマディスプレイ装置におけるパネル１０の電極配列図である。行方向にｎ本の走査電極２２１〜２２ｎ（図１の走査電極２２）およびｎ本の維持電極２３１〜２３ｎ（図１の維持電極２３）が配列され、列方向にｍ本のデータ電極３２１〜３２ｍ（図１のデータ電極３２）が配列されている。そして、１対の走査電極２２ｉおよび維持電極２３ｉ（ｉ＝１〜ｎ）と１つのデータ電極３２ｊ（ｊ＝１〜ｍ）とが交差した部分に放電セルが形成され、放電セルは放電空間内にｍ×ｎ個形成されている。
【００１５】
図２に示すような各電極を駆動する手法として、１フィールド期間を複数のサブフィールドに分割したうえで、発光させるサブフィールドの組み合わせによって階調表示を行う方法が一般的である。このような手法はサブフィールド法と呼ばれており、本実施の形態でもこのようなサブフィールド法に基づき各電極を駆動するような構成例を挙げて説明する。
【００１６】
図３は本発明の実施の形態におけるプラズマディスプレイ装置のブロック図である。プラズマディスプレイ装置１００は、パネル１０、画像信号処理部４２、データ電極駆動部４３、走査電極駆動部４４、維持電極駆動部４６、タイミング発生部４８および各回路ブロックに必要な電源を供給する電源部（図示せず）を備えている。
【００１７】
画像信号処理部４２は、画像信号ｓｉｇを、各放電セルのサブフィールドごとの発光・非発光を示す画像データに変換する。データ電極駆動部４３は、サブフィールドごとの画像データを各データ電極３２に対応する信号に変換し、各データ電極３２を駆動する。走査電極駆動部４４は、各走査電極２２に所定の駆動電圧波形を供給し、各走査電極２２を駆動する。維持電極駆動部４６は、各維持電極２３に所定の駆動電圧波形を供給し、各維持電極２３を駆動する。タイミング発生部４８は、水平同期信号Ｈおよび垂直同期信号Ｖをもとにして各電極駆動部の駆動電圧波形を制御する各種のタイミング信号を発生し、各電極駆動部へ供給する。
【００１８】
図４は、本発明の実施の形態のプラズマディスプレイ装置におけるパネル１０の各電極に印加する駆動波形図である。図４に示すように、本プラズマディスプレイ装置では、サブフィールド法に基づき、初期化期間、書込み期間および維持期間を含む複数のサブフィールドにより１フィールド期間を構成している。さらに、本プラズマディスプレイ装置では、各サブフィールドごとにデータ電極、走査電極および維持電極に、図４に示すような駆動電圧波形の駆動信号を印加することで、放電セルを選択的に発光させて階調表示を行う。
【００１９】
以下、図４を用いて、パネル１０を駆動するための駆動電圧波形とその波形に応じたパネルの基本的な動作について説明する。
【００２０】
まず、初期化期間では、データ電極３２１〜３２ｍおよび維持電極２３１〜２３ｎを電圧０ボルトに保持し、走査電極２２１〜２２ｎに対して放電開始電圧以下となる電圧Ｖｉ１から、放電開始電圧を超える電圧Ｖｉ２に向かって緩やかに上昇するランプ電圧を印加する。すると、全ての放電セルにおいて１回目の微弱な初期化放電を起こし、走査電極２２１〜２２ｎ上に負の壁電圧が蓄えられるとともに、維持電極２３１〜２３ｎ上およびデータ電極３２１〜３２ｍ上に正の壁電圧が蓄えられる。ここで、電極上の壁電圧とは、電極を覆う誘電体層あるいは蛍光体層上に蓄積した壁電荷により生じる電圧をあらわす。その後、維持電極２３１〜２３ｎを正の電圧Ｖｅに保ち、走査電極２２１〜２２ｎに電圧Ｖｉ３から電圧Ｖｉ４に向かって緩やかに下降するランプ電圧を印加する。すると、全ての放電セルにおいて２回目の微弱な初期化放電を起こし、走査電極２２１〜２２ｎ上の壁電圧と維持電極２３１〜２３ｎ上の壁電圧との電圧差が弱められ、データ電極３２１〜３２ｍ上の壁電圧も書込み動作に適した値に調整される。このようにして、全ての放電セルにおいて初期化の放電が実行される。
【００２１】
続く書込み期間では、走査電極２２１〜２２ｎを一旦、書込バイアス電圧Ｖｓｃに保持する。次に、データ電極３２１〜３２ｍのうち、１行目に表示すべき放電セルのデータ電極３２ｋに正の書込パルス電圧Ｖｄを印加するとともに、１行目の走査電極２２１に走査パルス電圧Ｖａを印加する。このとき、データ電極３２ｋと走査電極２２１との交差部の電圧は、外部印加電圧（Ｖｄ−Ｖａ）にデータ電極３２ｋ上の壁電圧および走査電極２２１上の壁電圧の大きさが加算されたものとなり、放電開始電圧を超える。そして、データ電極３２ｋと走査電極２２１との間および維持電極２３１と走査電極２２１との間に書込み放電が起こり、この放電セルの走査電極２２１上に正の壁電圧が蓄積され、維持電極２３１上に負の壁電圧が蓄積され、データ電極３２ｋ上にも負の壁電圧が蓄積される。このようにして、１行目に表示すべき放電セルで書込み放電を起こして各電極上に壁電圧を蓄積する書込み動作が行われる。一方、正の書込パルス電圧Ｖｄを印加しなかったデータ電極と走査電極２２１との交差部の電圧は放電開始電圧を超えないので、書込み放電は発生しない。以上の書込み動作をｎ行目の放電セルに至るまで順次行い、書込み期間が終了する。
【００２２】
続く維持期間では、まず、維持電極２３１〜２３ｎを電圧０ボルトに戻し、走査電極２２１〜２２ｎに正の維持パルス電圧Ｖｓを印加する。このとき、書込み放電を起こした放電セルにおいては、走査電極２２ｉ上と維持電極２３ｉ上との間の電圧は、維持パルス電圧Ｖｓに、走査電極２２ｉ上および維持電極２３ｉ上の壁電圧の大きさが加算されたものとなり、放電開始電圧を超える。そして、走査電極２２ｉと維持電極２３ｉとの間に維持放電が起こり、走査電極２２ｉ上に負の壁電圧が蓄積され、維持電極２３ｉ上に正の壁電圧が蓄積される。このときデータ電極３２ｋ上にも正の壁電圧が蓄積される。書込み期間において書込み放電が起きなかった放電セルでは維持放電は発生せず、初期化期間の終了時における壁電圧状態が保持される。続いて、走査電極２２１〜２２ｎを電圧０ボルトに戻し、維持電極２３１〜２３ｎに正の維持パルス電圧Ｖｓを印加する。すると、維持放電を起こした放電セルでは、維持電極２３ｉ上と走査電極２２ｉ上との間の電圧は放電開始電圧を超えるので、再び維持電極２３ｉと走査電極２２ｉとの間に維持放電が起こり、維持電極２３ｉ上に負の壁電圧が蓄積され、走査電極２２ｉ上に正の壁電圧が蓄積される。以降同様に、走査電極２２１〜２２ｎと維持電極２３１〜２３ｎとに交互に維持パルスを印加することにより、書込み期間において書込み放電を起こした放電セルでは維持放電が継続して行われる。なお、維持期間の最後には走査電極２２１〜２２ｎと維持電極２３１〜２３ｎとの間にいわゆる細幅パルスを印加して、データ電極３２ｋ上の正の壁電荷を残したまま、走査電極２２１〜２２ｎおよび維持電極２３１〜２３ｎ上の壁電圧を消去している。こうして維持期間における維持動作が終了する。
【００２３】
続いて、第２サブフィールドでの初期化期間では、維持放電を行った放電セルのみ初期化する選択初期化を実行する。選択初期化期間では、維持電極２３１〜２３ｎを電圧Ｖｅに保持し、データ電極３２１〜３２ｍを電圧０ボルトに保持し、走査電極２２１〜２２ｎに電圧Ｖｉ３’から電圧Ｖｉ４に向かって緩やかに下降するランプ電圧を印加する。すると前のサブフィールドの維持期間で維持放電を行った放電セルでは、微弱な初期化放電が発生し、走査電極２２ｉ上と維持電極２３ｉ上との壁電圧差が弱められ、データ電極３２ｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。
【００２４】
以下、第２サブフィールドでの書込み期間および維持期間では第１サブフィールドと同様の動作を実行し、さらに、それに続くサブフィールドでは第２サブフィールドと同様の動作を実行する。本プラズマディスプレイ装置は、サブフィールドごとにこのような駆動電圧波形をそれぞれの電極に供給することで各電極を駆動し、このような駆動動作を実行することで画像に応じた放電セルを発光させパネル１０上に画像を表示する。
【００２５】
次に、図４で示したような駆動電圧波形を生成する走査電極駆動部４４および維持電極駆動部４６の構成について説明する。
【００２６】
図５は本発明の実施の形態のプラズマディスプレイ装置における走査電極駆動部４４および維持電極駆動部４６の構成を示す回路図である。走査電極駆動部４４は、初期化電圧発生部５０と、走査電極側維持パルス発生部（以下、適宜、「維持パルス発生部」と呼ぶ）６０と、走査パルス発生部７０とを備える。走査パルス発生部７０は、パネル１０の走査電極２２１〜２２ｎに、それぞれの走査電極を駆動するための走査電極駆動信号を供給する。これとともに、走査パルス発生部７０は、異常を検出したとする異常検出信号ＳＯＳを出力する。また、維持電極駆動部４６は、維持電極側維持パルス発生部（以下、適宜、「維持パルス発生部」と呼ぶ）９０およびＶｅ電圧印加回路９５を備え、パネル１０の維持電極２３１〜２３ｎのそれぞれに共通に接続されている。
【００２７】
走査電極駆動部４４の初期化電圧発生部５０は、ミラー積分回路５１およびミラー積分回路５２を備える。ミラー積分回路５１は、走査パルス発生部７０の基準電位Ａをランプ状に上昇させ、ミラー積分回路５２は基準電位Ａをランプ状に降下させる。また、維持パルス発生部６０は、スイッチ６１およびスイッチ６２を備える。スイッチ６１は、走査パルス発生部７０の基準電位Ａを維持パルス電圧Ｖｓに接続し、スイッチ６２は基準電位Ａを接地電位に接続する。なお、維持パルス発生部６０には電力回収回路６３をさらに備えていてもよい。
【００２８】
図５において、走査パルス発生部７０は、基準電位Ａを負の走査パルス電圧Ｖａに接続するためのスイッチ７２と、書込み期間における走査電極２２１〜２２ｎへの書込バイアス用電圧Ｖｃを生成する書込バイアス電圧生成回路７３と、書込バイアス電圧から走査パルス電圧Ｖａに所定の期間切替えて書込バイアス電圧に重畳した走査パルス信号を生成し、走査電極２２１〜２２ｎにその走査パルス信号を供給する走査パルス発生回路８６１〜８６ｎと、書込バイアス電圧生成回路７３と走査パルス発生回路８６１〜８６ｎとの間の電流を検出する電流検出回路としての抵抗器Ｒｓｃと、抵抗器Ｒｓｃの一端で検出された電圧に基づき異常を検出し、その異常の検出を示す異常検出信号ＳＯＳを出力する異常検出回路７１と、走査パルス発生回路８６１〜８６ｎに設けた走査制御回路を動作させるための電源電圧Ｖｄｄ２を供給する走査制御電源ＶＤ２と、異常検出回路７１を動作させるための電源電圧Ｖｄｄ１を供給する異常検出回路用電源ＶＤ１とを備えている。
【００２９】
また、書込バイアス電圧生成回路７３は、書込バイアス用電圧Ｖｃを供給する電源ＶＣと、書込み期間を示すタイミング信号を出力するバイアス制御回路７５と、バイアス制御回路７５のタイミング信号に応じて書込み期間に書込バイアス用電圧Ｖｃを出力するバイアススイッチング回路７６とを備えている。さらに、バイアススイッチング回路７６は、書込バイアス用電圧Ｖｃの出力をオンオフするスイッチ７７と、基準電位Ａの電圧をオンオフするスイッチ７８とで構成されている。また、スイッチ７７およびスイッチ７８は、トランジスタなどの半導体素子である。書込バイアス電圧生成回路７３は、このような構成により、書込み期間において書込バイアス用電圧Ｖｃを出力し、抵抗器Ｒｓｃを介して走査パルス発生回路８６１〜８６ｎのスイッチング回路８０１〜８０ｎのそれぞれに書込バイアス電圧Ｖｓｃを供給している。
【００３０】
また、走査パルス発生回路８６１〜８６ｎにおいて、走査パルス発生回路８６ｉは、走査電極２２ｉに走査パルス信号を印加するためのスイッチング回路８０ｉおよびスイッチング回路８０ｉを制御するための走査制御回路８５ｉを備えている。そして、それぞれのスイッチング回路８０ｉは、直列に接続されたスイッチ８１ｉおよびスイッチ８２ｉと、スイッチ８１ｉおよびスイッチ８２ｉのそれぞれに並列に接続されたダイオード８３ｉおよびダイオード８４ｉとを備えている。そしてそれらスイッチング回路８０１〜８０ｎのそれぞれは、基準電位Ａに共通に接続されるとともに、抵抗器Ｒｓｃを介して書込バイアス電圧生成回路７３の出力に共通に接続されている。また、走査制御回路８５１〜８５ｎのそれぞれは走査制御電源ＶＤ２に並列に接続されている。
【００３１】
次に、図５に示す維持電極駆動部４６において、Ｖｅ電圧印加回路９５は、維持電極２３１〜２３ｎに電圧Ｖｅを供給するためのスイッチ９６を備えている。また、維持パルス発生部９０は、維持パルス発生部６０と同様に、スイッチ９１およびスイッチ９２を備え、スイッチ９１は維持電極２３１〜２３ｎを維持パルス電圧Ｖｓに接続し、スイッチ９２は維持電極２３１〜２３ｎを接地電位に接続する。なお維持パルス発生部９０には電力回収回路９３をさらに備えていてもよい。
【００３２】
図６は、上述した走査電極駆動部４４の具体的な構成例を示す模式図である。図６では、走査電極駆動部４４のスイッチング回路８０１〜８０ｎおよび走査制御回路８５１〜８５ｎが複数ブロックごとにまとめられ集積化、すなわちＩＣ（Ｉｎｔｅｇｒａｔｅｄ  Ｃｉｒｃｕｉｔ）化された一例を挙げている。以下、このＩＣを「走査ＩＣ」と呼ぶ。すなわち、図６では、本発明の実施の形態におけるプラズマディスプレイ装置の複数の走査ＩＣとその接続を示している。本実施の形態においては、スイッチング回路８０ｉおよび走査制御回路８５ｉをｐ回路分まとめて１つの走査ＩＣ８８とし、この走査ＩＣ８８をｑ個使用して、ｎ本の走査電極のそれぞれに図４で示したような駆動電圧波形を供給している。そして、書込み期間において、それぞれの走査ＩＣ８８１〜８８ｑには、それら走査ＩＣの書込み期間での基準とする電位、すなわち走査パルス発生部７０の基準電位Ａに対して正の書込バイアス電圧Ｖｓｃが、書込バイアス電圧生成回路７３から抵抗器Ｒｓｃを介して印加される。また、走査ＩＣ８８１〜８８ｑを制御するための電源電圧Ｖｄｄ２が走査制御電源ＶＤ２から印加されている。さらに、走査電極駆動部４４の異常を検出するため、異常検出回路７１は、抵抗器Ｒｓｃの一端の電圧を取り込む。また、異常検出回路７１には、異常検出回路用電源ＶＤ１から電源としての電源電圧Ｖｄｄ１が供給されている。このように多数のスイッチング回路８０１〜８０ｎおよび走査制御回路８５１〜８５ｎをＩＣ化することにより回路をコンパクトにまとめることができ実装面積も小さくなる。そしてＩＣがモノリシックＩＣであれば実装面積もさらに小さくなるので、より望ましい。
【００３３】
以下、このように構成された本プラズマディスプレイ装置の各サブフィールドにおいて、まず、本プラズマディスプレイ装置が正常に動作する場合の駆動動作について説明する。
【００３４】
まず、図４に示す第１サブフィールドの初期化期間では、維持電極駆動部４６のスイッチ９２をオンにして維持電極２３１〜２３ｎに電圧０ボルトを印加するとともに、走査電極駆動部４４のミラー積分回路５１を用いて電圧Ｖｉ１から電圧Ｖｉ２に向かって緩やかに上昇するランプ電圧を基準電位Ａに印加する。このとき、走査パルス発生部７０のスイッチング回路８０１〜８０ｎのスイッチ８１１〜８１ｎはオフ、スイッチ８２１〜８２ｎはオンにしておく。すると、図４に示すように電圧Ｖｉ１から電圧Ｖｉ２に向かって緩やかに上昇するランプ電圧が走査電極２２１〜２２ｎに印加される。その後、維持電極駆動部４６のスイッチ９２をオフ、スイッチ９６をオンにして維持電極２３１〜２３ｎに電圧Ｖｅを印加するとともに、走査電極駆動部４４のミラー積分回路５２を用いて電圧Ｖｉ３から電圧Ｖｉ４に向かって緩やかに下降するランプ電圧を走査電極２２１〜２２ｎに印加する。すると、上述したように、各放電セルで微弱な初期化放電が発生し、続く書込み動作に必要な壁電荷を各電極上に形成する。なお、初期化期間の動作としては、図４の第２サブフィールドの初期化期間に示したように、走査電極２２１〜２２ｎに対して緩やかに下降するランプ電圧を印加するだけでもよい。
【００３５】
次に、書込み期間では、まず、走査電極駆動部４４の走査パルス発生部７０のスイッチ７２をオンにして走査パルス発生部７０の基準電位Ａを走査パルス電圧Ｖａにする。また、このとき、書込バイアス電圧生成回路７３において、バイアス制御回路７５は、書込み期間を示すタイミング信号に応じた切替信号をバイアススイッチング回路７６に出力する。これにより、書込み期間では、バイアススイッチング回路７６のスイッチ７７がオン、スイッチ７８がオフとなり、書込バイアス電圧生成回路７３からは、基準電位Ａに対して書込バイアス用電圧Ｖｃだけ高い電圧が出力され、抵抗器Ｒｓｃに供給される。また、抵抗器Ｒｓｃのもう一方の端子からは、この書込バイアス用電圧Ｖｃから抵抗器Ｒｓｃにより電圧降下した電圧である書込バイアス電圧Ｖｓｃが出力される。なお、具体的には、抵抗器Ｒｓｃとして抵抗値の小さい抵抗器を挿入しており、また通常時においては、書込バイアス電圧生成回路７３と走査パルス発生回路８６１〜８６ｎとの間の電流はわずかであるため、書込バイアス用電圧Ｖｃと抵抗器Ｒｓｃにより電圧降下した書込バイアス電圧Ｖｓｃとはほぼ等しい。
【００３６】
このように、書込み期間においては、基準電位Ａに走査パルス電圧Ｖａが印加され、書込バイアス電圧生成回路７３から抵抗器Ｒｓｃを介して走査パルス発生回路８６１〜８６ｎに書込バイアス電圧Ｖｓｃが印加された状態となる。これとともに、書込み期間の開始時において、スイッチング回路８０１〜８０ｎのスイッチ８１１〜８１ｎをオン、スイッチ８２１〜８２ｎをオフにする。これによって基準電位Ａに書込バイアス電圧Ｖｓｃだけ加算された電圧、すなわち図４に示すような書込バイアス電圧Ｖｓｃが、スイッチ８１１〜８１ｎを介して走査電極２２１〜２２ｎに印加されることとなる。次に、１行目の走査電極２２１に対応するスイッチング回路８０１のスイッチ８１１をオフ、スイッチ８２１をオンにする。これによって、１行目の走査電極２２１には、書込バイアス電圧Ｖｓｃに対して負の走査パルス電圧Ｖａが印加される。このとき、発光すべき放電セルに対応するデータ電極３２にデータ電極駆動部４３を用いて正の書込パルス電圧Ｖｄを印加する。すると走査パルス電圧Ｖａと書込パルス電圧Ｖｄとが同時に印加された１行目の放電セルでは書込み放電が発生し、走査電極２２１および維持電極２３１に壁電荷を蓄積する書込み動作が行われる。
【００３７】
次に、スイッチング回路８０１のスイッチ８１１をオン、スイッチ８２１をオフに戻し、２行目の走査電極２２２に対応するスイッチング回路８０２のスイッチ８１２をオフ、スイッチ８２２をオンにして２行目の走査電極２２２に負の走査パルス電圧Ｖａを印加する。このとき、発光すべき放電セルに対応するデータ電極３２に書込パルス電圧Ｖｄを印加する。すると走査パルス電圧Ｖａと書込パルス電圧Ｖｄとが同時に印加された２行目の放電セルでは書込み放電が発生し、書込み動作が行われる。以上の書込み動作をｎ行目の放電セルに至るまで繰り返し、発光すべき放電セルに対して選択的に書込み放電を発生させ壁電荷を形成する。
【００３８】
続く維持期間では、維持電極駆動部４６のスイッチ９６をオフに、スイッチ９２をオンにして維持電極２３に電圧０ボルトを印加する。そして走査電極駆動部４４のスイッチング回路８０１〜８０ｎのスイッチ８１１〜８１ｎをオフ、スイッチ８２１〜８２ｎをオンにし、スイッチ７２をオフに、スイッチ６１をオンにして、走査電極２２１〜２２ｎに維持パルス電圧Ｖｓを印加する。こうして走査電極２２１〜２２ｎに維持パルス電圧Ｖｓを印加すると、書込み放電を起こした放電セルでは維持放電が起こり発光する。
【００３９】
次に走査電極駆動部４４のスイッチ６１をオフに、スイッチ６２をオンにして走査電極２２１〜２２ｎに電圧０ボルトを印加するとともに、維持電極駆動部４６のスイッチ９２をオフに、スイッチ９１をオンにして維持電極２３１〜２３ｎに維持パルス電圧Ｖｓを印加する。すると維持放電を起こした放電セルでは再び維持放電が起こり発光する。以降同様に、走査電極２２１〜２２ｎと維持電極２３１〜２３ｎとに交互に必要な回数の維持パルスを印加して、放電セルを所定の輝度で発光させる。
【００４０】
続くサブフィールドにおいても上述したサブフィールドの動作と同様の動作を繰り返すことにより放電セルを発光させ、画像を表示している。
【００４１】
以上説明したような走査電極駆動部４４、維持電極駆動部４６およびデータ電極駆動部４３の動作を実行することで、各電極には図４で示したような駆動電圧波形が印加されることとなり、画像に応じた放電セルを発光させてパネル１０上に画像が表示される。
【００４２】
以上、本プラズマディスプレイ装置が異常なく動作する場合の駆動動作を中心に説明したが、次に、本プラズマディスプレイ装置において駆動動作中に異常が発生した場合、その異常に対処するため設けた異常検出回路７１を含む保護機能の構成およびその動作について説明する。
【００４３】
図７は、走査電極駆動部４４の異常検出回路７１の詳細な回路構成を含む走査パルス発生部７０の回路図である。
【００４４】
まず、図７において、書込バイアス電圧生成回路７３は、上述したように、書込バイアス用電圧Ｖｃをバイアススイッチング回路７６に供給する電源ＶＣと、書込み期間を示すタイミング信号をバイアススイッチング回路７６に出力するバイアス制御回路７５と、書込バイアス用電圧Ｖｃと基準電位Ａの電圧とが供給され、直列に接続されたスイッチ７７とスイッチ７８とにより書込バイアス用電圧Ｖｃと基準電位Ａの電圧とを切替えて出力するバイアススイッチング回路７６とを備えている。また、バイアス制御回路７５の電源端子Ｖｄには電源電圧Ｖｄｄ１が供給され、バイアス制御回路７５の入力ＩＮには、タイミング発生部４８から書込み期間を示す信号が入力される。書込バイアス電圧生成回路７３は、このような構成により、次のように動作する。すなわち、書込み期間においては、バイアス制御回路７５の出力端子Ｈが論理値１の信号を出力し、出力端子Ｌが論理値０の信号を出力し、書込み期間以外の期間においては、バイアス制御回路７５の出力端子Ｈが論理値０の信号を出力し、出力端子Ｌが論理値１の信号を出力する。バイアス制御回路７５は、このようなタイミング信号をバイアススイッチング回路７６に出力する。一方、スイッチ７７およびスイッチ７８は、バイアス制御回路７５から論理値１の信号が供給されるとオンになり、論理値０の信号が供給されるとオフとなる。よって、書込み期間においては、スイッチ７７がオン、スイッチ７８がオフとなるため、バイアススイッチング回路７６は、書込バイアス用電圧Ｖｃを出力する。また、書込み期間以外の期間においては、スイッチ７７がオフ、スイッチ７８がオンとなるため、バイアススイッチング回路７６は、基準電位Ａの電圧を出力する。バイアススイッチング回路７６から出力された電圧は、抵抗器Ｒｓｃを介して走査パルス発生回路８６１〜８６ｎのそれぞれに供給される。
【００４５】
次に、図７において、異常検出回路７１は、異常を検出するための入力信号として、抵抗器Ｒｓｃのｂ端側の電圧を取り込む。すなわち、抵抗器Ｒｓｃは、書込バイアス電圧生成回路７３と走査パルス発生回路８６１〜８６ｎとの間の電流を検出する電流検出回路として設けており、抵抗器Ｒｓｃのｂ端側である走査パルス発生回路８６１〜８６ｎ側に生じた電圧を電流検出信号として出力する。このように、異常検出回路７１は、抵抗器Ｒｓｃのｂ端側の電圧に基づき異常を検出する。異常検出回路７１において、抵抗器Ｒｓｃのｂ端側の電圧は、測定電圧として、抵抗器Ｒ１２、ダイオードＤ１２を介して、一端が基準電位Ａに接続された充電用キャパシタＣ１１のｄ端側に供給される。さらに、充電用キャパシタＣ１１と並列に抵抗器Ｒ１１が接続される。充電用キャパシタＣ１１は、抵抗器Ｒｓｃのｂ端側に基準電位Ａに対して正の電圧が生じた場合、その電圧により充電されるように設けたキャパシタである。また、抵抗器Ｒ１２は所定の充電特性となるように設けており、ダイオードＤ１２は充電用キャパシタＣ１１に充電された電荷が抵抗器Ｒ１２側へと逆流するのを防止するために設けている。また、抵抗器Ｒ１１は、充電用キャパシタＣ１１に蓄積される電荷を所定の時定数で放電させるために設けている。
【００４６】
また、異常検出回路７１において、抵抗器Ｒ１２とダイオードＤ１２のアノード側との接続点であるｃ端には、さらにダイオードＤ１４のアノード側が接続される。また、ダイオードＤ１４のカソード側は、バイアス制御回路７５の出力端子Ｌに接続される。ダイオードＤ１４は、抵抗器Ｒｓｃのｂ端側から充電用キャパシタＣ１１への充電を、書込み期間以外の期間に動作するように設けている。すなわち、書込み期間では、バイアス制御回路７５の出力端子Ｌの出力が論理値０となるため、ダイオードＤ１４には順方向の電圧がかかった状態となり、抵抗器Ｒｓｃのｂ端側からの充電電流は、抵抗器Ｒ１２およびダイオードＤ１４を介して、論理値０のバイアス制御回路７５の出力端子Ｌへと流れ込むこととなる。一方、書込み期間以外の期間では、バイアス制御回路７５の出力端子Ｌの出力が論理値１となるため、ダイオードＤ１４には逆方向の電圧がかかった状態となり、抵抗器Ｒｓｃのｂ端側からの充電電流は充電用キャパシタＣ１１へと流れ込むこととなる。このような動作により、抵抗器Ｒｓｃのｂ端側から充電用キャパシタＣ１１への充電は、書込み期間以外の期間に動作することとなる。なお、詳細については後述するが、異常検出回路７１は、書込み期間以外の特に維持期間における異常を検出するため、書込み期間以外の期間に動作するような構成としている。
【００４７】
また、異常検出回路７１において、図７に示すｃ端には、さらに、アノード側が基準電位Ａに接続されたツェナダイオードＤ１３のカソード側が接続される。ツェナダイオードＤ１３は、細いパルス状の高電圧ノイズを削除するために設けており、ツェナダイオードＤ１３のツェナ電圧以上のパルス成分をノイズとしてクリップする。また、図７に示すｄ端には、さらに、カソード側が電源電圧Ｖｄｄ１に接続されたダイオードＤ１１のアノード側が接続される。ダイオードＤ１１は、過度の充電などにより充電用キャパシタＣ１１の両端電圧が高電圧になることを防止するために設けており、充電用キャパシタＣ１１の両端電圧が電源電圧Ｖｄｄ１を超えないように電圧制限している。
【００４８】
また、異常検出回路７１において、図７に示すｄ端には、さらに、電圧判定回路としてのコンパレータＣＭＰ１の入力端子が接続される。コンパレータＣＭＰ１は、入力端子の電圧とあらかじめ設定したスレショルド電圧とを比較し、入力端子の電圧がスレショルド電圧以下のときには出力レベルがハイレベルあるいはハイインピーダンス状態となり、入力端子の電圧がスレショルド電圧以上のときには出力レベルがローレベルとなるような比較器である。すなわち、コンパレータＣＭＰ１は、充電用キャパシタＣ１１のｄ端の電圧がスレショルド電圧を超えたかどうかを監視するように動作する。なお、本実施の形態では、電圧判定回路としてコンパレータＣＭＰ１を用いた例を挙げて説明するが、充電用キャパシタＣ１１のｄ端の電圧がスレショルド電圧を超えたかどうかを判定するようなその他の回路であってもよい。コンパレータＣＭＰ１の出力は、フォトカプラＰＣ１の発光ダイオードＰＤのアノード側に接続される。そして、フォトカプラＰＣ１の発光ダイオードＰＤのアノード側は抵抗器Ｒ２１を介して電源電圧Ｖｄｄ１に接続され、またカソード側は基準電位Ａに接続されている。また、フォトカプラＰＣ１のフォトトランジスタＰＴの出力は異常検出信号ＳＯＳとしてタイミング発生部４８に出力される。
【００４９】
本プラズマディスプレイ装置において、異常検出回路７１を含む走査電極駆動部４４は以上のような構成であり、このような構成により、本プラズマディスプレイ装置は、駆動動作中にＩＣのパッケージや電子部品の過度の発熱などの異常が発生した場合、上述したような異常検出回路７１を含む保護機能によりこのような異常に対処している。
【００５０】
次に、走査ＩＣ８８１〜８８ｑのパッケージや電子部品が過度に発熱するなどの異常が発生するメカニズムについて説明する。
【００５１】
図８は、走査ＩＣや電子部品などが過度に発熱するようなメカニズムの一例を説明するための図である。スイッチング回路８０１〜８０ｎのうちの１つの出力端子が短絡するなどして１つの走査ＩＣ８８ｘが破壊された場合、その破壊モードによっては走査ＩＣ８８ｘの走査制御回路８５も同時に破壊され、電源ラインを短絡して走査制御電源ＶＤ２の電源電圧Ｖｄｄ２が低下することがある。このような状況が生じると、走査制御電源ＶＤ２の電源電圧Ｖｄｄ２は破壊されていない他の走査ＩＣ８８ｋにも共通に供給されているので、破壊されていない走査ＩＣ８８ｋの走査制御回路８５に印加されている電源電圧Ｖｄｄ２も低下する。すると、正常な走査ＩＣ８８ｋも動作しなくなりスイッチング回路８０のスイッチ８１およびスイッチ８２がともにオフとなる。仮にこの状態で、維持期間において、維持電極２３１〜２３ｎに維持パルスが印加されると、走査電極２２１〜２２ｎと維持電極２３１〜２３ｎとの間の電極間容量を介して走査ＩＣ８８ｋの出力に維持パルス電圧Ｖｓが印加される。すると走査ＩＣ８８ｋのダイオード８３ｋを介して、図８に示すような電流Ｉｓｃが、書込バイアス電圧生成回路７３方向へと逆流することになる。
【００５２】
すなわち、維持期間において、走査パルス発生部７０では、バイアス制御回路７５のタイミング信号により、バイアススイッチング回路７６のスイッチ７８がオン状態となる。また、維持期間において、走査パルス発生回路８６１〜８６ｎのスイッチング回路８０１〜８０ｎでは、走査電極側維持パルス発生部６０からの維持パルス電圧Ｖｓを出力するため、スイッチ８２１〜８２ｎがオン状態となる。このため、走査電極駆動部４４が正常に動作しているときの維持期間においては、走査電極２２１〜２２ｎと維持電極２３１〜２３ｎとの電極間容量を介した電流は、それぞれのスイッチ８２ｉを通して基準電位Ａへと流れ込む。しかし、上述のような異常が発生した場合、維持期間において、スイッチ８２１〜８２ｎがオフ状態になるとともに、基準電位Ａに接続されるスイッチ７８がオン状態となっているため、走査ＩＣ８８ｋのダイオード８３ｋを介して、走査電極２２１〜２２ｎからの電流Ｉｓｃが書込バイアス電圧生成回路７３のスイッチ７８を通して基準電位Ａに流れ込むこととなる。特に、スイッチ７８に流れ込む電流Ｉｓｃは、走査電極２２１〜２２ｎのそれぞれからの電流が加算された電流であるため、スイッチ７８には大電流が流れ込むこととなる。
【００５３】
このような異常状態が継続すると、過剰な電流が集中したスイッチ７８は急激に温度上昇し、このときの温度上昇が大きすぎるとスイッチ７８までが破壊されるおそれがある。さらに、電流検出用に設けた抵抗器Ｒｓｃにも大電流が流れることとなるため、抵抗器Ｒｓｃも異常に発熱するおそれがある。さらに、電気的に破壊されてインピーダンスの低下した走査ＩＣ８８ｘにも、パネル全体の電流が集中して流れるおそれがあり、過剰な電流が集中した走査ＩＣ８８ｘは急激に温度上昇し、このときの温度上昇が大きすぎると走査ＩＣ８８ｘのパッケージまでが破壊されるなどの不都合が生じる可能性もある。
【００５４】
本プラズマディスプレイ装置は、上述した一例のような異常発生のメカニズムにより、駆動動作中にＩＣのパッケージや電子部品の過度の発熱などの異常が発生した場合、上述したような異常検出回路７１を含む保護機能によりこのような異常に対処している。なお、異常発生のメカニズムとしては、上述した走査ＩＣ８８の誤動作の例だけでなく、例えば、走査制御回路８５の誤動作や故障、あるいは走査制御回路８５を制御するための信号を生成するロジック回路の誤動作や故障などによっても生じる可能性がある。本プラズマディスプレイ装置は、このような誤動作や故障などの異常発生により、さらに、書込バイアス電圧生成回路７３に異常な逆電流が流れ込むような場合が生じても、適切にそのような不都合に対応するような保護機能を有している。
【００５５】
次に、異常検出回路７１を含む保護機能の動作について説明する。上述したように、走査パルス発生回路８６１〜８６ｎの１つの出力端子が短絡などすると、維持期間において、スイッチ７８に大電流が逆流して流れ込むような不都合が発生するおそれがある。抵抗器Ｒｓｃは、このような走査パルス発生回路８６１〜８６ｎから逆流する電流を検出するために設けている。すなわち、走査パルス発生回路８６１〜８６ｎからスイッチ７８を介して逆流する電流により、抵抗器Ｒｓｃの両端にはこの電流により電圧が生じる。また、維持期間では、スイッチ７８はオンとなるため、抵抗器Ｒｓｃのａ端は基準電位Ａとなる。このため、基準電位Ａに対する抵抗器Ｒｓｃのｂ端の電圧を測定することで、スイッチ７８側へと逆流する電流を測定できる。なお、書込み期間においては、抵抗器Ｒｓｃのｂ端は書込バイアス電圧Ｖｓｃとなる。このため、バイアス制御回路７５の出力端子Ｌに接続したダイオードＤ１４を利用して、書込み期間には異常検出回路７１による異常検出の動作を停止させるような構成としている。また、上述したように維持期間において走査ＩＣの出力端子が短絡などしたときに過剰の電流が発生するため、異常検出回路７１が維持期間のみに動作するような構成としてもよい。
【００５６】
異常検出回路７１はこのように、異常を検出するための入力信号として抵抗器Ｒｓｃのｂ端側の電圧を取り込む。さらに、抵抗器Ｒｓｃのｂ端側の電圧に応じた充電電流が充電用キャパシタＣ１１に流れ込むとともに、充電用キャパシタＣ１１に並列接続された抵抗器Ｒ１１により充電用キャパシタＣ１１に蓄積された電荷が放電される。
【００５７】
本プラズマディスプレイ装置が正常に動作しているとき、維持期間においては、走査電極２２１〜２２ｎと維持電極２３１〜２３ｎとの電極間容量を介した電流がそれぞれのスイッチ８２ｉを通して基準電位Ａへと流れ込むため、抵抗器Ｒｓｃにはもれ電流などわずかな電流しか流れない。このため、抵抗器Ｒｓｃのｂ端側にはわずかな電圧しか発生せず、充電用キャパシタＣ１１のｄ端もコンパレータＣＭＰ１のスレショルド電圧以下の電圧となり、コンパレータＣＭＰ１の出力はハイインピーダンス状態となる。よって、電源電圧Ｖｄｄ１から抵抗器Ｒ２１を介して、コンパレータＣＭＰ１の出力には電流が流れ込まずフォトカプラＰＣ１の発光ダイオードＰＤに電流が流れるため、このとき発光ダイオードＰＤは発光した状態となっており、フォトカプラＰＣ１の受光側フォトトランジスタＰＴがオンし、異常検出信号ＳＯＳは異常ではないことを示すローレベルとなる。
【００５８】
ところが、走査パルス発生回路８６１〜８６ｎの１つの出力端子が短絡などすると、上述したようなメカニズムにより、維持期間において、走査電極２２１〜２２ｎと維持電極２３１〜２３ｎとの電極間容量を介した電流が、抵抗器Ｒｓｃおよびスイッチ７８を介して基準電位Ａへと逆流して流れ込む。これとともに、抵抗器Ｒｓｃのｂ端側には、この電流に応じた電圧が発生する。維持期間での走査電極２２１〜２２ｎと維持電極２３１〜２３ｎとの電極間容量を介した電流は、維持パルスに基づく電流であるため、維持パルスの周期で充電電流が充電用キャパシタＣ１１に流れ込み、充電用キャパシタＣ１１のｄ端側の電圧は、維持パルスの周期で上昇していく。さらに、充電用キャパシタＣ１１のｄ端側の電圧が、コンパレータＣＭＰ１のスレショルド電圧以上になると、コンパレータＣＭＰ１の出力はローレベルとなる。すると、抵抗器Ｒ２１を介してローレベルのコンパレータＣＭＰ１の出力に電流が流れ込むため、フォトカプラＰＣ１の発光ダイオードＰＤには電流が流れず、発光ダイオードＰＤは発光しない状態となり、フォトカプラＰＣ１のフォトトランジスタＰＴがオフし、異常検出信号ＳＯＳは異常が発生したことを示すハイレベルとなる。
【００５９】
異常検出信号ＳＯＳがハイレベルとなると、タイミング発生部４８は、走査電極駆動部４４の維持パルス発生部６０および維持電極駆動部４６の維持パルス発生部９０の動作を停止させるなどの保護動作を行う。
【００６０】
このように、本実施の形態におけるプラズマディスプレイ装置は、異常検出回路７１が、維持期間における書込バイアス電圧生成回路７３と走査パルス発生回路８６１〜８６ｎとの間の電流を抵抗器Ｒｓｃを利用して監視し、走査ＩＣ８８ｘの１つの出力端子が短絡などした場合、維持期間において走査パルス発生回路８６１〜８６ｎから書込バイアス電圧生成回路７３に流れ込む過大な電流を検出し異常検出信号ＳＯＳを出力する。するとタイミング発生部４８は維持パルス発生部６０および維持パルス発生部９０の維持パルスを停止させるなどして、プラズマディスプレイ装置１００の動作を停止させる。そして、その後パネル１０の電極には電圧が印加されないこととなる。本実施の形態におけるプラズマディスプレイ装置１００はこのような保護機能を有しているので、過剰な電流が集中した書込バイアス電圧生成回路７３の異常な発熱や破壊を防止するとともに、出力端子が短絡などにより破壊された走査ＩＣ８８ｘへの異常電流の集中による異常な発熱や破壊をも防止できる。
【００６１】
特に、本実施の形態におけるプラズマディスプレイ装置は、書込バイアス電圧生成回路７３と走査パルス発生回路８６１〜８６ｎとの間の電流を検出するために、書込バイアス電圧生成回路７３と走査パルス発生回路８６１〜８６ｎとの間に直列に挿入した抵抗器Ｒｓｃを利用している。一般的に、書込バイアス電圧生成回路７３での半導体素子であるスイッチ７７やスイッチ７８は、抵抗器Ｒｓｃのような電気部品に比べて、過大電流や過大電圧により電気的に破壊されやすい。これに対し、本実施の形態におけるプラズマディスプレイ装置では、走査パルス発生回路８６１〜８６ｎから過大な逆電流が流れ込む場合であっても、スイッチ７８に対して直列に挿入した抵抗器Ｒｓｃを設けた構成としているため、抵抗器Ｒｓｃは電流を検出する機能とともに、流れ込む過大な逆電流の電流量を抑制する機能をも有することとなる。このため、本実施の形態におけるプラズマディスプレイ装置のような抵抗器Ｒｓｃを利用した電流検出回路とすることにより、過大電流などにより破壊されやすいスイッチ７８を保護することも可能となる。
【００６２】
また、走査パルス発生回路８６１〜８６ｎから書込バイアス電圧生成回路７３への過大な電流が長期間にわたって流れ続けると、抵抗器Ｒｓｃが過度に発熱するおそれもある。これに対し、本実施の形態におけるプラズマディスプレイ装置では、この抵抗器Ｒｓｃを介して書込バイアス電圧生成回路７３に流れ込む過大な電流を抵抗器Ｒｓｃ自体が検出し、異常検出回路７１が異常検出信号ＳＯＳを出力し、維持パルス発生部６０および維持パルス発生部９０の維持パルスを停止させるような構成としている。すなわち、この抵抗器Ｒｓｃに過大な電流が流れ込んだとしても、その電流の発生源である維持パルス発生部６０および維持パルス発生部９０の動作を停止させるような構成としているため、抵抗器Ｒｓｃの過度の発熱やそれによる破壊をも防止することが可能となる。
【００６３】
以上説明したように、本発明のプラズマディスプレイ装置は、画像を表示するためのパネル１０と、走査電極２２１〜２２ｎを駆動するための走査電極駆動部４４と、維持電極２３１〜２３ｎを駆動するための維持電極駆動部４６と、データ電極３２１〜３２ｍを駆動するためのデータ電極駆動部４３とを有し、さらに、走査電極駆動部４４は、書込み期間における走査電極２２１〜２２ｎへの書込バイアス電圧Ｖｓｃを生成する書込バイアス電圧生成回路７３と、書込バイアス電圧Ｖｓｃに重畳する走査パルス信号を生成し、それぞれの走査電極２２１〜２２ｎに供給する複数の走査パルス発生回路８６１〜８６ｎと、書込バイアス電圧生成回路７３と走査パルス発生回路８６１〜８６ｎとの間の電流を検出し、電流検出信号として出力する電流検出回路としての抵抗器Ｒｓｃと、電流検出回路からの電流検出信号を取り込み、電流検出回路で検出された電流が書込み期間以外の期間において所定の電流値を超えたとき、異常を検出したとする異常検出信号ＳＯＳを出力する異常検出回路７１とを備え、異常検出回路７１が異常を検出したとき、画像表示動作を停止するように構成している。本発明のプラズマディスプレイ装置は、このような構成により、万一、維持期間において、走査パルス発生回路８６１〜８６ｎから書込バイアス電圧生成回路７３への過大な電流が流れたとしても、抵抗器Ｒｓｃによりその電流を検出し、異常検出回路７１が異常検出信号ＳＯＳを出力し、異常検出信号ＳＯＳに応答して、維持パルス発生部６０および維持パルス発生部９０の維持パルスの停止を含めプラズマディスプレイ装置の画像表示動作が停止するので、このような異常状態からＩＣや電子部品を不都合なく保護することができる。
【産業上の利用可能性】
【００６４】
本発明は、万一、走査パルス発生回路などに異常が発生しても、プラズマディスプレイ装置の画像表示動作を停止し、異常現象からＩＣや電子部品を不都合なく保護することができるので、保護機能を備えたプラズマディスプレイ装置として有用である。
【図面の簡単な説明】
【００６５】
【図１】本発明の実施の形態のプラズマディスプレイ装置におけるパネルの分解斜視図
【図２】同プラズマディスプレイ装置におけるパネルの電極配列図
【図３】同プラズマディスプレイ装置のブロック図
【図４】同プラズマディスプレイ装置におけるパネルの各電極に印加する駆動波形図
【図５】同プラズマディスプレイ装置における走査電極駆動部および維持電極駆動部の構成を示す回路図
【図６】同プラズマディスプレイ装置における走査電極駆動部の具体的な構成例を示す模式図
【図７】同プラズマディスプレイ装置における異常検出回路の詳細な回路構成を含む走査パルス発生部の回路図
【図８】電子部品などが過度に発熱するようなメカニズムの一例を説明するための図
【符号の説明】
【００６６】
１０    プラズマディスプレイパネル（パネル）
２１    前面基板
２２    走査電極
２３    維持電極
２４    誘電体層
２５    保護層
３１    背面基板
３２    データ電極
３３    絶縁体層
３４    隔壁
３５    蛍光体層
４２    画像信号処理部
４３    データ電極駆動部
４４    走査電極駆動部
４６    維持電極駆動部
４８    タイミング発生部
５０    初期化電圧発生部
５１，５２    ミラー積分回路
６０    走査電極側維持パルス発生部（維持パルス発生部）
６１，６２，７２，７７，７８，８１，８２，９１，９２，９６    スイッチ
６３，９３    電力回収回路
７０    走査パルス発生部
７１    異常検出回路
７３    書込バイアス電圧生成回路
７５    バイアス制御回路
７６    バイアススイッチング回路
８０    スイッチング回路
８３，８４    ダイオード
８５    走査制御回路
８６    走査パルス発生回路
８８    走査ＩＣ
９０    維持電極側維持パルス発生部（維持パルス発生部）
９５    Ｖｅ電圧印加回路
１００    プラズマディスプレイ装置
【図１】
0004793013.tif 000002
【図２】
0004793013.tif 000003
【図３】
0004793013.tif 000004
【図４】
0004793013.tif 000005
【図５】
0004793013.tif 000006
【図６】
0004793013.tif 000007
【図７】
0004793013.tif 000008
【図８】
0004793013.tif 000009